(57)【要約】      （修正有）【課題】配線の危険配線部位等が容易な構成によって見栄え良く確認できる配線用カバーと配線用カバーセットとを提供する。【解決手段】高圧電源機器Ａからの高電圧配線Ｌ１が配線用カバー１によって、通常電源機器Ｂからの通常電圧配線Ｌ２が配線用カバー１００によってそれぞれ配線されている。配線用カバー１、配線用カバー１００はともにそれぞれのカバー本体の底面が壁面Ｗに固定されて取り付けられている。配線用カバー１００の蓋部材１０３がカバー本体と同様の合成樹脂の原料色であるグレー色を呈しているのに対し、配線用カバー１の蓋部材３表面が着色層１４により赤色とされていることで、その配線用カバー１が使用された配線部位が危険であることが一見して認識される。【選択図】図３
0003192273.tif 000002
【実用新案登録請求の範囲】
【請求項１】
長手方向に沿って上方が開放し内部を配線の配置スペースとするカバー本体と、前記カバー本体の上方開口に沿って装着される帯状の蓋部材とからなる配線用カバーにおいて、前記蓋部材が前記カバー本体と異なる色であることを特徴とする配線用カバー。
【請求項２】
前記異なる色を、危険表示色とする請求項１記載の配線用カバー。
【請求項３】
前記異なる色が、蓋部材に着色剤が含有される、または、塗布されることで付与される請求項１または２記載の配線用カバー。
【請求項４】
長手方向に沿って上方が開放し内部を配線の配置スペースとするカバー本体と、前記カバー本体の上方開口に沿って装着される前記カバー本体と同じ色の帯状の蓋部材と、前記カバー本体の上方開口に沿って装着される前記カバー本体と異なる色の帯状の蓋部材とからなることを特徴とする配線用カバーセット。
【考案の詳細な説明】
【技術分野】
【０００１】  この考案は、工場や機器内等において使用される配線用カバー及び配線用カバーセットに関する。
【背景技術】
【０００２】  例えば、工場においては各種機器に電源を与えるように多数本の配線が行われている。この種の配線は物品が衝突した際に損傷することがないように配線用カバー内に納められている場合が多い。配線用カバーとしては、長手方向に沿って上方が開放し内部を配線の配置スペースとするカバー本体と、そのカバー本体の上方開口に沿って装着される帯状の蓋部材とからなるものが提供されており、通常全体がグレー色を呈している。
【考案の概要】
【考案が解決しようとする課題】
【０００３】  工場には高電圧での使用機器があり、その機器には高電圧危険表示が各種なされ、かつ、その高電圧の配線に使用される配線用カバーにも赤色や黄色や橙色等の危険表示色のテープが巻き付けられる等して危険表示がなされている。そのようにテープを巻き付ける場合、作業に手間がかかるとともに、見栄えが悪く、時間経過によってテープが剥がれてしまう問題があった。
【課題を解決するための手段】
【０００４】  この考案は上記の事情に鑑みて行ったもので、危険配線部位等が容易な構成によって見栄え良く確認できる配線用カバーを提供することを目的とする。また、そのような配線用カバーの実施に好適な配線用カバーセットを提供することを目的とする。【０００５】  この考案（請求項１の考案）は、長手方向に沿って上方が開放し内部を配線の配置スペースとするカバー本体と、前記カバー本体の上方開口に沿って装着される帯状の蓋部材とからなる配線用カバーにおいて、前記蓋部材が前記カバー本体と異なる色であることを特徴とする配線用カバーを提供する。【０００６】  この考案の配線用カバーが配置された部分は蓋部材の色がカバー本体と異なることで、蓋部材がカバー本体と同様である他の配線用カバー部分と異なって認識される。この考案の配線用カバーを使用して配線することで自動的に上記認識付与構成が得られ、手間をかけることなく、見栄えが良く、かつ、耐久性に優れる認識構成が得られる。【０００７】  異なる色を、赤色、黄色、橙色等の危険表示色とすることで、配線用カバーが配置された部分が危険であることが認識される。また、複数種類の異なる色を適宜使用して、配線の交流や直流の機能認識等を可能とするようにしてもよい。【０００８】  異なる色は、蓋部材に着色剤が含有されること、塗布されること等で付され、必ずしも蓋部材の全面に付される必要はなく、また、一色によって付される必要もなく、模様状に付されても良よい。【０００９】  また、この考案（請求項４の考案）は、長手方向に沿って上方が開放し内部を配線の配置スペースとするカバー本体と、前記カバー本体の上方開口に沿って装着される前記カバー本体と同じ色の帯状の蓋部材と、前記カバー本体の上方開口に沿って装着される前記カバー本体と異なる色の帯状の蓋部材とからなることを特徴とする配線用カバーセットを提供する。【００１０】  この考案の配線用カバーセットを使用することで、配線現場においてカバー本体と同じ色の帯状の蓋部材とカバー本体と異なる色の帯状の蓋部材とをカバー本体に対して適宜選択使用しての配線が可能となり、上記考案の配線用カバーを使用しての作用効果が無駄のない構成により達成される。
【考案の効果】
【００１１】  この考案の配線用カバー、配線用カバーセットを使用することで、手間をかけることなく、見栄えが良く、かつ、耐久性に優れる認識構成が得られ、これにより配線の危険部位の表示等が容易に行われるようになる。
【図面の簡単な説明】
【００１２】
【図１】  この考案の配線用カバーの実施形態の一部省略斜視図
【図２】  この考案の配線用カバーの実施形態の断面図
【図３】  この考案の配線用カバーの実施形態の使用状態説明図
【図４】  この考案の配線用カバーの実施形態の他の使用状態説明図
【考案の実施形態】
【００１３】  図１はこの考案の配線用カバーの一部省略斜視図、図２は同断面である。配線用カバー１は全体が合成樹脂製で、カバー本体２と蓋部材３とからなる。
【００１４】  カバー本体２は両側の壁部５、５と底部６とからなり、長手方向に沿って上方が開放し内部を配線の配置スペース８としている。壁部５、５にはその長手方向に沿って多数のスリット１０が並設されるとともに、それぞれの上縁に沿って蓋部材３の取り付け係止部１１が設けられ、底部６には所定の間隔をおいて取り付け穴７が設けられている。カバー本体２は合成樹脂の原料色であるグレー色を呈している。
【００１５】  蓋部材３は平面部１２両縁にカバー本体２への取り付け係止部１３が設けられており、平面部１２上には赤色の着色層１４が塗布形成されている。
【００１６】  蓋部材３は上方から押し込まれてカバー本体２に取り付けられ、カバー本体２の上部が弾力的に変位することでの取り付け係止部１１と取り付け係止部１３とが互いに係止し、これにより蓋部材３はカバー本体２の上方開口に沿って配置スペース８を覆うようにカバー本体２上に取り付けられる。
【００１７】  図３は上記配線用カバー１の使用状態を示す。高圧電源機器Ａからの高電圧配線Ｌ１が配線用カバー１によって、通常電源機器Ｂからの通常電圧配線Ｌ２が配線用カバー１００によってそれぞれ配線されている。配線用カバー１、配線用カバー１００はともにそれぞれのカバー本体の底面が壁面Ｗに固定されて取り付けられている。配線用カバー１００の蓋部材１０３がカバー本体と同様の合成樹脂の原料色であるグレー色を呈しているのに対し、配線用カバー１の蓋部材３表面が着色層１４により赤色とされていることで、その配線用カバー１が使用された配線部位が危険であることが一見して認識される。配線作業に伴って蓋部材３が取り付けられることで危険表示が自動的に行えるので、別途、危険表示のためにテープを巻き付ける等の作業を必要とせず、また、見栄えが良く、テープ剥がれ等の問題もなく耐久性にも優れる。
【００１８】  上記の配線用カバー１と配線用カバー１００とはそのカバー本体は兼用されるので、そのカバー本体部材と、着色がなされた蓋部材３と、着色がなされない蓋部材１０３との３部材をセットとして提供することで、配線現場において蓋部材３と蓋部材１０３とをカバー本体部材に対して適宜選択使用して配線でき、無駄が無く、便利である。
【００１９】  図４は配電盤２００の後扉を開いた状態を示す。配電盤２００内において交流配線用のの２本の配線用カバー２０１は蓋部材２０３として表面が黄色のものが使用され、直流配線用の１本の配線用カバー２０２は蓋部材２０４として表面が青色のものが使用され、これにより配電盤２００内の交流、直流の配線部位が容易に判別されるようになっていて、メインテナンス作業等が容易に行われる。
【符号の説明】
【００２０】  １    配線用カバー
２    カバー本体
３    蓋部材
８    配置スペース
１４  着色層
【図１】
0003192273.tif 000003
【図２】
0003192273.tif 000004
【図３】
0003192273.tif 000005
【図４】
0003192273.tif 000006